(57)【特許請求の範囲】
【請求項１】
表示部に表示されている表示対象物に対して、タッチによる操作を検出して入力を可能とするタッチ入力部を備える表示装置の表示制御処理を行う情報処理装置であって、
前記タッチ入力部で検出したタッチ位置とタッチ移動からジェスチャー操作の内容を判定する操作判定部と、
判定したジェスチャー操作に基づいて、操作処理を実行して前記表示部に表示させる操作処理実行部と、
を備え、
前記操作判定部は、
両手で表示対象物を操作しているかを判定し、さらに、両手のジェスチャー操作の場合、両手でのジェスチャー操作の内容を判定し、
前記操作処理実行部は、
判定したジェスチャー操作の内容に応じて異なる個数の表示対象物の複製を表示することを特徴とする情報処理装置。
【請求項２】
前記操作判定部は、ジェスチャー操作が第１の操作モードであるか第２の操作モードであるかを判定し、
前記操作処理実行部は、ジェスチャー操作が前記第１の操作モードであると判定した場合、表示対象物の複製を１個表示し、
ジェスチャー操作が前記第２の操作モードであると判定した場合、表示対象物の複製を２個表示することを特徴とする請求項１に記載の情報処理装置。
【請求項３】
前記操作判定部は、ジェスチャー操作が広げる動作であるか投げる動作かを判定し、
前記操作処理実行部は、
前記ジェスチャー操作が広げる動作であると判定した場合は、前記ジェスチャー操作を第１の操作モードとして、表示対象物の複製を１個表示し、
前記ジェスチャー操作が投げる動作であると判定した場合は、前記ジェスチャー操作を第２の操作モードとして、表示対象物の複製を２個表示することを特徴とする請求項２に記載の情報処理装置。
【請求項４】
前記操作判定部は、ジェスチャー操作のタッチ移動の速度が所定値を越えるかどうかを判定し、
前記操作処理実行部は、
タッチ移動の速度が所定値以下の場合は、前記ジェスチャー操作を第１の操作モードとして、表示対象物の複製を１個表示し、
タッチ移動の速度が所定値を越える場合は、前記ジェスチャー操作を第２の操作モードとして、表示対象物の複製を２個表示することを特徴とする請求項２に記載の情報処理装置。
【請求項５】
前記操作判定部は、片手で表示対象物を移動させるジェスチャー操作しているか、両手で表示対象物をそれぞれ別の方向に移動させるジェスチャー操作しているかを判定し、
前記操作処理実行部は、
片手でジェスチャー操作した場合は、指定された位置まで表示対象物を移動し、
両手でジェスチャー操作した場合は、タッチした表示対象物に対する複製処理の操作とすることを特徴とする請求項１から４のいずれかに記載の情報処理装置。
【請求項６】
操作の対象となる操作対象者の位置を特定して識別できる操作対象者位置識別部を備え、
前記操作処理実行部は、
判定したジェスチャー操作に基づいて、あらかじめ設定された操作対象者に対する操作処理を実行して前記表示部に表示させることを特徴とする請求項１から５のいずれかに記載の情報処理装置。
【請求項７】
前記操作判定部は、両手のジェスチャー操作で、かつ全操作対象者を対象とすることを意味する特定のタッチ操作を行ってからの移動操作を判定し、
前記操作処理実行部は、前記操作判定部の判定が前記の通りであった場合、全操作対象者の位置に表示対象物の複製を移動させて表示することを特徴とする請求項６に記載の情報処理装置。
【請求項８】
全操作対象者を対象とすることを意味する特定のタッチ操作は、左右に振るタッチ操作であることを特徴とする請求項７に記載の情報処理装置。
【請求項９】
前記操作対象者位置識別部は、前記表示部の画面の各端部辺の中央部を操作対象者の位置とすることを特徴とする請求項６から８のいずれかに記載の情報処理装置。
【請求項１０】
前記操作対象者位置識別部は、位置入力ユーザインタフェースにより入力された位置を操作対象者の位置とすることを特徴とする請求項６から８のいずれかに記載の情報処理装置。
【請求項１１】
前記操作対象者位置識別部は、位置検出センサにより検出された位置を操作対象者の位置とすることを特徴とする請求項６から８のいずれかに記載の情報処理装置。
【請求項１２】
前記操作対象者位置識別部は、ＮＦＣが内蔵されたＮＦＣ端末をＮＦＣが内蔵された前記表示装置にかざすことにより検出された位置を操作対象者の位置とすることを特徴とする請求項６から８のいずれかに記載の情報処理装置。
【請求項１３】
前記操作判定部は、片手のジェスチャー操作で、かつ前記表示対象物を振る操作を判定し、
前記操作処理実行部は、前記操作判定部の判定が前記の通りであった場合、前記表示対象物の表示を閉じることを特徴とする請求項１から１２のいずれかに記載の情報処理装置。
【請求項１４】
表示部に表示されている表示対象物に対して、タッチによる操作を検出して入力を可能とするタッチ入力部を備える表示装置の表示制御処理を行う情報処理方法であって、
前記タッチ入力部で検出したタッチ位置とタッチ移動からジェスチャー操作の内容を判定する操作判定ステップと、
判定したジェスチャー操作に基づいて、操作処理を実行して前記表示部に表示させる操作処理実行ステップと、
を備え、
前記操作判定ステップは、
両手で表示対象物をジェスチャー操作しているかを判定し、両手のジェスチャー操作の場合、両手でのジェスチャー操作の内容を判定し、
前記操作処理実行ステップは、
判定したジェスチャー操作の内容に応じて異なる個数の表示対象物の複製を表示することを特徴とする情報処理方法。
【請求項１５】
コンピュータに、請求項１４に記載の情報処理方法の各ステップを実行させるためのプログラム。
【発明の詳細な説明】
【技術分野】
【０００１】
本発明は、テーブルディスプレイなどでジェスチャー操作により表示対象物に対して処理を行う情報処理装置、情報処理方法及びプログラムに関する。
【背景技術】
【０００２】
近年、大画面の表示パネルを有し、複数の使用者が個別に操作可能なテーブディスプレイが登場してきている。必要な資料を表示し、さらに各参加者に表示されているコンテンツを移動したり、コピーしたりする操作がなされる。コンテンツとは表示対象物であり、ファイルや画像などである。
【０００３】
特許文献１においては、タッチ操作が可能なテーブルディスプレイにおいて、ユーザ数とその位置を認識し、ユーザ位置に対応して表示画面をエリアに分割し、表示ファイルをそれぞれのユーザに配付表示させるものが記載されている。
【０００４】
これは、進行役のユーザが、自分の表示エリアにあるファイルを、配付したいユーザのエリアにドラッグすると、そのファイルがコピーされて相手表示エリアに表示される。元のファイルは自分の表示エリアに表示されたままとなる。こうして相手にファイルをコピーすることが可能となる。
【０００５】
また、特許文献２においては、ハンドジェスチャーを認識して、それに応じて移動、回転、拡大・縮小を含む処理を行うことができる装置が記載されている。
【先行技術文献】
【特許文献】
【０００６】
【特許文献１】特開２００８−２６９０４４号公報
【特許文献２】特開平１１−３３８１２０号公報
【発明の概要】
【発明が解決しようとする課題】
【０００７】
しかしながら、特許文献１の技術では、大きい表示ディスプレイであると、隣接する相手であればよいが、離れた相手であれば表示領域までドラッグする移動距離があり、ドラッグして相手領域まで移動する操作が大変となる。この場合は、メニューを表示させてコピーなどの処理操作を行うことも可能であるが、一々メニューを開いて該当する処理操作を選択する操作も煩雑であった。
【０００８】
また、特許文献２の技術では、操作対象者の位置を認識して、彼等らに向けてコンテンツを移動させるなどの処理を実行することは記載されていない。従って、操作者が確実に操作対象者の位置に向けて移動させる動作をしなければならない。また、コンテンツのコピーなどの処理についても、記載が全くない。
【０００９】
本発明は、斯かる実情に鑑み、直感的なタッチによるジェスチャー操作によってコンテンツを表示処理できる情報処理装置及び情報処理方法を提供しようとするものである。
【課題を解決するための手段】
【００１０】
本発明は、表示部に表示されている表示対象物に対して、タッチによる操作を検出して入力を可能とするタッチ入力部を備える表示装置の表示制御処理を行う情報処理装置であって、
前記タッチ入力部で検出したタッチ位置とタッチ移動からジェスチャー操作の内容を判定する操作判定部と、操作の対象となる操作対象者の位置を特定して識別できる操作対象者位置識別部と、判定した前記ジェスチャー操作に基づいて、操作処理を実行して前記表示部に表示させる操作処理実行部と、を備え、
前記操作判定部は、両手で表示対象物を操作しているかを判定し、さらに、両手のジェスチャー操作の場合、両手でのジェスチャー操作の内容を判定し、
前記操作処理実行部は、判定したジェスチャー操作の内容に応じて異なる個数の表示対象物の複製を表示することを特徴とする。
【００１１】
本発明の情報処理装置において、前記操作判定部は、ジェスチャー操作が第１の操作モードであるか第２の操作モードであるかを判定し、前記操作処理実行部は、ジェスチャー操作が前記第１の操作モードであると判定した場合、表示対象物の複製を１個表示し、
ジェスチャー操作が前記第２の操作モードであると判定した場合、表示対象物の複製を２個表示することを特徴とする。
また、本発明の情報処理装置において、前記操作判定部は、ジェスチャー操作が広げる動作であるか投げる動作かを判定し、前記操作処理実行部は、前記ジェスチャー操作が広げる動作であると判定した場合は、前記ジェスチャー操作を第１の操作モードとし、前記ジェスチャー操作が投げる動作であると判定した場合は、前記ジェスチャー操作を第２の操作モードとすることを特徴とする。
【００１２】
また、本発明の情報処理装置において、前記操作判定部は、ジェスチャー操作のタッチ移動の速度が所定値を越えるかどうかを判定し、
前記操作処理実行部は、タッチ移動の速度が所定値以下の場合、前記ジェスチャー操作を第１の操作モードとして、表示対象物の複製を一つ表示し、タッチ移動の速度が所定値を越える場合、前記ジェスチャー操作を第２の操作モードとして、表示対象物の複製を二つ表示して、タッチ移動方向にある前記操作対象者位置識別部が特定する操作対象者の位置まで移動することを特徴とする。
また、本発明の情報処理装置において、前記操作判定部は、片手で表示対象物を移動させるジェスチャー操作しているか、両手で表示対象物をそれぞれ別の方向に移動させるジェスチャー操作しているかを判定し、前記操作処理実行部は、片手でジェスチャー操作した場合は、指定された位置まで表示対象物を移動し、両手でジェスチャー操作した場合は、タッチした表示対象物に対する複製処理の操作とすることを特徴とする。
また、本発明の情報処理装置において、操作の対象となる操作対象者の位置を特定して識別できる操作対象者位置識別部を備え、前記操作処理実行部は、判定したジェスチャー操作に基づいて、あらかじめ設定された操作対象者に対する操作処理を実行して前記表示部に表示させることを特徴とする。
【００１３】
また、本発明の情報処理装置において、前記操作判定部は、両手のジェスチャー操作で、かつ全操作対象者を対象とすることを意味する特定のタッチ操作を行ってからの移動操作を判定し、
前記操作処理実行部は、前記操作判定部の判定が前記の通りであった場合、全操作対象者の位置に表示対象物の複製を移動させて表示することを特徴とする。
【００１４】
また、本発明の情報処理装置において、全操作対象者を対象とすることを意味する特定のタッチ操作は、左右に振るタッチ操作であることを特徴とする。
【００１５】
また、本発明の情報処理装置において、前記操作判定部は、片手のジェスチャー操作で、かつ前記表示対象物を振る操作を判定し、
前記操作処理実行部は、前記操作判定部の判定が前記の通りであった場合、前記表示対象物の表示を閉じることを特徴とする。
【００１６】
また、本発明の情報処理装置において、前記操作対象者位置識別部は、前記表示部の画面の各端部辺の中央部を操作対象者の位置とすることを特徴とする。
【００１７】
また、本発明の情報処理装置において、前記操作対象者位置識別部は、位置入力ユーザインターフェースにより入力された位置を操作対象者の位置とすることを特徴とする。
【００１８】
また、本発明の情報処理装置において、前記操作対象者位置識別部は、位置検出センサにより検出された位置を操作対象者の位置とすることを特徴とする。
【００１９】
また、本発明の情報処理装置において、前記操作対象者位置識別部は、ＮＦＣが内蔵されたＮＦＣ端末をＮＦＣが内蔵された前記表示装置にかざすことにより検出された位置を操作対象者の位置とすることを特徴とする。
【００２０】
また、本発明は、表示部に表示されている表示対象物に対して、タッチによる操作を検出して入力を可能とするタッチ入力部を備える表示装置の表示制御処理を行う情報処理方法であって、
前記タッチ入力部で検出したタッチ位置とタッチ移動からジェスチャー操作の内容を判定する操作判定ステップと、判定したジェスチャー操作に基づいて、操作処理を実行して前記表示部に表示させる操作処理実行ステップと、を備え、
前記操作判定ステップは、
両手で表示対象物をジェスチャー操作しているかを判定し、両手のジェスチャー操作の場合、両手でのジェスチャー操作の内容を判定し、
前記操作処理実行ステップは、
判定したジェスチャー操作の内容に応じて異なる個数の表示対象物の複製を表示することを特徴とする。
【００２１】
また、本発明は、コンピュータに、前記情報処理方法の各ステップを実行させるためのプログラムである。
【発明の効果】
【００２２】
本発明によれば、特定のジェスチャー操作により、あらかじめ設定された操作対象者に対する操作処理を実行して表示部に表示させるので、メニューを表示させて操作内容を選択する場合に比べて、操作対象者に対して簡単で直感的な操作が可能となり、操作性が向上する。
【図面の簡単な説明】
【００２３】
【図１】本発明に係る情報処理装置による操作表示を行うテーブルディスプレイを示す図である。
【図２】第１実施形態におけるテーブルディスプレイを示すブロック図である。
【図３】第１実施形態におけるテーブルディスプレイの表示処理を示すフローチャートである。
【図４】コンテンツに対して両手の「広げる」ジェスチャー操作を示す図である。
【図５】両手の「広げる」ジェスチャー操作におけるコンテンツの複製表示処理を示す図である。
【図６】コンテンツに対して両手の「投げる」ジェスチャー操作を示す図である。
【図７】両手の「投げる」ジェスチャー操作におけるコンテンツの複製表示処理を示す図である。
【図８】両手のジェスチャー操作において操作対象者の位置まで複製コンテンツを移動する図である。
【図９】両手のジェスチャー操作において操作対象者の位置で複製コンテンツを回転する図である。
【図１０】コンテンツに対して片手の「投げる」ジェスチャー操作を示す図である。
【図１１】片手のジェスチャー操作において操作対象者の位置まで複製コンテンツを移動する図である。
【図１２】片手のジェスチャー操作において操作対象者の位置で複製コンテンツを回転する図である。
【図１３】第２実施形態におけるテーブルディスプレイの他の例を示すブロック図である。
【図１４】第２実施形態におけるテーブルディスプレイの表示処理を示すフローチャートである。
【図１５】第３実施形態におけるテーブルディスプレイの制御装置の表示処理を示すフローチャートである。
【発明を実施するための形態】
【００２４】
以下、本発明の実施の形態を添付図面を参照して説明する。
図１は、本発明に係る情報処理装置による操作表示を行うテーブルディスプレイを示す図である。
【００２５】
図１に示すように、このテーブルディスプレイ１０は、タッチパネルである表示装置２０をテーブル全面に備え、複数のユーザ（図１では４人）が表示を見ながらタッチ操作を行い、処理を行う装置である。この表示装置２０は、液晶パネルなどの表示部の上側にタッチ入力部を備える構造である。
【００２６】
図１に示すように、テーブルディスプレイ１０を囲んだユーザは、表示装置２０に表示されるアプリケーション・ウィンドウや画像のコンテンツ（表示対象物）に対して、タッチによるジェスチャー操作により、移動、回転やコピーなどの処理操作も行う。ジェスチャー操作とは、タッチによる手や指の特定の動きに対応付けた処理を行う機能である。
【００２７】
ここでは、ユーザ１Ａが進行役の操作者で、ユーザ１Ｂ，１Ｃ，１Ｄの操作対象者にコンテンツの配付などの処理を行うものである。
以下に、各実施形態について説明する。
【００２８】
〔第１実施形態〕
第１実施形態は、操作者のジェスチャー操作に応じてコンテンツの表示処理を実行するものである。第１実施形態においては、図１に示すように、操作者１Ａの位置と、操作対象者１Ｂ，１Ｃ，１Ｄの位置は、画面の４辺の中央部分として設定されている。
【００２９】
図２は、第１実施形態におけるテーブルディスプレイを示すブロック図である。図３は、第１実施形態におけるテーブルディスプレイの表示処理を示すフローチャートである。
【００３０】
テーブルディスプレイ１０は、表示装置２０、操作に従って表示処理を制御する制御装置（情報処理装置）３０、データを記憶する記憶部４０を備える。
【００３１】
表示装置２０は、上述したように液晶パネルなどの表示部２１の表面側にタッチ入力部２２を備える構造である。タッチ入力部２２は、様々の方式があるが、操作者のタッチ入力を検出できればよく、その方式を特に限定するものではない。
【００３２】
制御装置３０は、ＣＰＵからなり、その機能部として、タッチ入力部２２で検出したタッチ位置とタッチ移動から操作内容を判定する操作判定部３１、操作対象者の位置を認識する操作対象者位置識別部３２、判定したタッチ操作に基づいて操作処理を実行して表示部２１に表示させる操作処理実行部３３を備える。前述のように、操作者１Ａ、操作対象者１Ｂ，１Ｃ，１Ｄの位置は設定されているので、操作対象者位置識別部３２は、この設定に従って、画面各辺の中央部を操作対象者１Ｂ，１Ｃ，１Ｄの位置とする。
【００３３】
記憶部４０は、ハードディスクやメモリなどからなる記憶装置であり、制御装置が実行するプログラム、画像データ、操作処理に関わる各種データなどを記憶し、制御装置３０とデータのやり取りを行うものである。
【００３４】
制御装置３０は、以下のような処理を実行する。
操作者１Ａがタッチ操作を行い、それをタッチ入力部２２が検出すると、制御装置３０の操作判定部３１が、両手でタッチしたかを判定する（ステップＳ１１）。複数のタッチが所定距離以上に離れてタッチされた場合を両手タッチと判定する。あるいは、複数のタッチがされて且つタッチの移動が２つのグループに分かれる場合を両手タッチと判定する。そして、両手をそれぞれ別方向に移動し、表示コンテンツ６０を分割するジェスチャー操作をする場合、ジェスチャー操作が単に広げる動作か、それとも投げる動作かを判定する（ステップＳ１２）。これは、タッチした両手を動かす速度が所定値以下の場合を「広げる」動作とする。また、タッチした両手を動かす速度が所定値を越える場合を「投げる」動作とする。
【００３５】
ステップＳ１２で、図４に示すように、操作判定部３１が広げる動作と判定した場合、図５に示すように、操作処理実行部３３は、操作したコンテンツ６０を複製してもう一つのコンテンツ６１を表示する（ステップＳ１３）。
【００３６】
ステップＳ１２で、図６に示すように、操作判定部３１が投げる動作と判定した場合、図７に示すように、操作処理実行部３３は、両手の数、すなわち２個の複製コンテンツ６２，６３を生成して表示する（ステップＳ１４）。次に、各コンテンツ６２，６３の移動方向を伸ばした先を計算し、画面４辺のうち交わる辺を算出する（ステップＳ１５）。図７では、交わる辺は、画面の左右両端の辺であり、操作対象者１Ｂ，１Ｄの位置の辺である。
【００３７】
図８に示すように、操作処理実行部３３は、交わる辺の中央部に向けて複製した各コンテンツ６２，６３を移動させて止める（ステップＳ１６）。図９に示すように、コンテンツの下側端部を交わる辺側に向けるように各コンテンツ６２，６３を回転させる（ステップＳ１７）。これは、各操作対象者１Ｂ，１Ｄがコンテンツを見やすくするためである。
【００３８】
ステップＳ１１で、片手でタッチしていた場合、操作判定部３１は、次のジェスチャー操作が振る動作か、それとも投げる動作かを判定する（ステップＳ１８）。操作判定部３１が振る動作であると判定した場合、操作処理実行部３３は、表示されていたコンテンツ６０を閉じる（ステップＳ１９）。図１０に示すように、操作判定部３１が投げる動作であると判定した場合、各コンテンツ６０の移動方向（投げる方向）を伸ばした先を計算し、画面４辺のうち交わる辺を算出する（ステップＳ２０）。図１０では、交わる辺は、画面の右端の辺であり、操作対象者１Ｂの位置の辺である。
【００３９】
図１１に示すように、操作処理実行部３３は、交わる辺の中央部に向けてコンテンツ６０を移動させて止める（ステップＳ２１）。図１２に示すように、コンテンツの下側端部を交わる辺側に向けるようにコンテンツ６０を回転させる（ステップＳ２２）。これは、各操作対象者１Ｂがコンテンツ６０を見やすくするためである。
【００４０】
こうして、両手で分割するようなジェスチャー操作を行うと、コンテンツが複製表示され、さらに所定速度を越える「投げる操作」を行うと、その投げた方向にコンテンツを移動させるので、メニューを表示させて操作内容を選択する場合に比べて、簡単で直感的な操作が可能となり、操作性が向上する。また、操作対象者の位置に応じて移動したコンテンツを見やすい位置に移動、回転するので、操作対象者にとっても扱い易く操作性が向上する。
【００４１】
〔第２実施形態〕
第２実施形態は、操作対象者の位置を検出して、それに基づいてジェスチャー操作に応じてコンテンツの表示処理を実行するものである。第２実施形態は、第１実施形態と異なり、操作対象者の位置が画像の各辺の位置と設定されているわけではない。
【００４２】
図１３は、第２実施形態におけるテーブルディスプレイの他の例を示すブロック図である。図１４は、第２実施形態におけるテーブルディスプレイの表示処理を示すフローチャートである。
【００４３】
図１３に示すテーブルディスプレイ１０−１は、図２に示したテーブルディスプレイ１０とほぼ同じ構成であるが、表示装置２０に操作対象者位置検出部２３を備える点が異なる。第２実施形態においては、操作対象者位置検出部２３は、たとえばＮＦＣ（Near Field Communication）などであり、これにより操作対象者の位置を検出する。また、表示部２１に位置特定ＵＩ（user interface）を表示させ、操作対象者がそれをタッチすることで、その位置を特定するものでもよい。
【００４４】
図１４の一点鎖線で囲んだ部分は、操作対象者の位置検出処理についての部分である。
ここでは、２つの方式を示しており、まず第１はＵＩによる位置検出であり、もう一つは、ＮＦＣによる位置検出である。
【００４５】
（１）ＵＩによる位置特定処理
操作処理実行部３３が、テーブルディスプレイ１０−１の表示部２１に位置特定ＵＩボタンを表示させ、タッチ入力部２２の検出結果から操作判定部３１が画面場の位置特定ＵＩボタンをタッチがあったと判定すると（ステップＳ３１）、操作処理実行部３３は、ＵＩから人の位置と操作対象者の人数を入力させる表示を行う（ステップＳ３２）。この入力によって、操作対象者位置識別部３２は操作対象者の位置を特定し識別できる。つぎに操作者１Ａがコンテンツをタッチし、操作判定部３１がジェスチャー操作判定を行う（ステップＳ３３）。
【００４６】
（２）ＮＦＣによる位置特定処理
操作対象者位置検出部２３がＮＦＣ端末をテーブルディスプレイ１０−１にかざすのを検出すると（ステップＳ３４）、操作対象者位置識別部３２は、かざした位置の操作対象者位置検出部２３であるＮＦＣ受信装置から位置を特定する（ステップＳ３５）。操作者１Ａがコンテンツをタッチし、操作判定部３１がジェスチャー操作判定を行う（ステップＳ３６）。
操作対象者位置検出部２３は、ＮＦＣだけでなく、たとえば赤外線などを利用した位置検出センサでも構わない。
【００４７】
以降のステップＳ３７〜Ｓ４８の処理は、第１実施形態のステップＳ１１〜Ｓ２２の処理とほぼ同じである。この場合、上記の位置特定によって画面の辺の中央部に操作対象者が配置された場合が第１実施形態である。位置特定の結果、画面の辺の中央部に操作対象者が配置された場合も想定して以下に記載する。
【００４８】
操作者１Ａがタッチ操作を行い、それをタッチ入力部２２が検出すると、制御装置３０の操作判定部３１が、両手でタッチしたかを判定する（ステップＳ３７）。複数のタッチが所定距離以上に離れてタッチされた場合を両手タッチと判定する。あるいは、複数のタッチがされて且つタッチの移動が２つのグループに分かれる場合を両手タッチと判定する。そして、両手をそれぞれ別方向に移動し、表示コンテンツ６０を分割するジェスチャー操作をする場合、ジェスチャー操作が単に広げる動作か、それとも投げる動作かを判定する（ステップＳ３８）。これは、タッチした両手を動かす速度が所定値以下の場合を「広げる」動作とする。また、タッチした両手を動かす速度が所定値を越える場合を「投げる」動作とする。
【００４９】
ステップＳ３８で、操作判定部３１が広げる動作と判定した場合、操作処理実行部３３は、操作したコンテンツを複製してもう一つのコンテンツを表示する（ステップＳ３９）。
【００５０】
ステップＳ３８で、操作判定部３１が投げる動作と判定した場合、操作処理実行部３３は、両手の数、すなわち２個の複製コンテンツを生成して表示する（ステップＳ４０）。次に、操作処理実行部３３は、操作対象者の位置情報を元に、コンテンツを投げた先の最も近い操作対象者を算出する（ステップＳ４１）。最も近い操作対象者の位置に向けて複製の各コンテンツを移動させて止める（ステップＳ４２）。コンテンツの下側端部を操作対象者側に向けるように各コンテンツを回転させる（ステップＳ４３）。
【００５１】
ステップＳ３７で、片手でタッチしていた場合、操作判定部３１は、次のジェスチャー操作が振る動作か、それとも投げる動作かを判定する（ステップＳ４４）。操作判定部３１が振る動作であると判定した場合、操作処理実行部３３は、表示されていたコンテンツ６０を閉じる（ステップＳ４５）。操作判定部３１が投げる動作であると判定した場合、操作処理実行部３３は、操作対象者の位置情報を元に、コンテンツを投げた先の最も近い操作対象者を算出する（ステップＳ４６）。最も近い操作対象者の位置に向けて複製の各コンテンツを移動させて止める（ステップＳ４７）。コンテンツの下側端部を操作対象者側に向けるように各コンテンツを回転させる（ステップＳ４８）。
【００５２】
こうして、操作対象者の位置を登録しておいて、ジェスチャー操作によって移動方向に最も近い操作対象者に複製コンテンツを移動するので、操作対象者が何処に位置していても、そこにコンテンツを簡単に配付できる。
【００５３】
〔第３実施形態〕
第３実施形態は、操作対象者の位置を特定し、全操作対象者にコンテンツの複製を配付する処理を含むものである。図１５は、第３実施形態におけるテーブルディスプレイの制御装置の表示処理を示すフローチャートである。
【００５４】
図１５のステップＳ５１〜Ｓ５７、Ｓ６４〜Ｓ６８は、図１４のステップＳ３１〜Ｓ３７、Ｓ４４〜Ｓ４８と同じ処理であり、説明は省略する。
【００５５】
ステップＳ５８において、両手をそれぞれ別方向に移動し、表示コンテンツ６０を分割するジェスチャー操作をする場合、操作判定部３１は、ジェスチャー操作が単に広げる動作か、それとも左右に振ってから投げる動作かを判定する（ステップＳ５８）。これは、タッチした両手を動かす速度が所定値以下の場合を「広げる」動作とする。また、タッチした両手を動かす速度が所定値を越える場合を「投げる」動作とする。
【００５６】
ステップＳ５８で、操作判定部３１が広げる動作と判定した場合、操作処理実行部３３は、操作したコンテンツを複製してもう一つのコンテンツを表示する（ステップＳ５９）。
【００５７】
ステップＳ５８で、操作判定部３１が左右に振ってから投げる動作と判定した場合、操作処理実行部３３は、各操作者対象者に対し１個ずつ、コンテンツの複製を生成して表示する（ステップＳ６０）。次に、操作処理実行部３３は、操作対象者の位置情報を元に、コンテンツを投げる全操作対象者の位置を求める（ステップＳ６１）。求めた操作対象者の位置に向けて複製の各コンテンツを移動させて止める（ステップＳ６２）。コンテンツの下側端部を操作対象者側に向けるように各コンテンツを回転させる（ステップＳ６３）。
【００５８】
こうして、ジェスチャー動作により、一度に全操作対象者に向けてコンテンツの複製を配付することになるので、一つ一つコンテンツの複製を移動させるよりも、操作が煩雑ではなく、操作性が向上する。
【００５９】
本発明による情報処理装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが行われる。また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００６１】
以上、この発明の実施形態を図面を参照して詳述してきたが、具体的な構成はこれらの実施形態に限られるものではなく、この発明の要旨を逸脱しない範囲の設計変更等された発明も含まれる。
【符号の説明】
【００６２】
１０      ：テーブルディスプレイ
２０      ：表示装置
２１      ：表示部
２２      ：タッチ入力部
２３      ：操作対象者位置検出部
３０      ：制御装置
３１      ：操作判定部
３２      ：操作対象者位置識別部
３３      ：操作処理実行部
４０      ：記憶部
【図１】
0006347701.tif 000002
【図２】
0006347701.tif 000003
【図３】
0006347701.tif 000004
【図４】
0006347701.tif 000005
【図５】
0006347701.tif 000006
【図６】
0006347701.tif 000007
【図７】
0006347701.tif 000008
【図８】
0006347701.tif 000009
【図９】
0006347701.tif 000010
【図１０】
0006347701.tif 000011
【図１１】
0006347701.tif 000012
【図１２】
0006347701.tif 000013
【図１３】
0006347701.tif 000014
【図１４】
0006347701.tif 000015
【図１５】
0006347701.tif 000016